(57)【特許請求の範囲】
【請求項１】
所定区間で補修される既設水道管に内管を内張りして該既設水道管を更正する工程において、
光ケーブルを一方の作業坑より前記既設水道管内に挿入し、他方の作業坑より外部に取り出した後に、一方の作業坑の既設水道管内の製管機により硬質塩化ビニル製の帯び板を他方の作業坑まで送られ、次に、既設水道管内に挿入された前記帯び板を、他方の作業坑側の先端から一方の作業坑に向けて前記製管機により連続的に巻き付けられてシール部が互いに結合され、シールされつつ拡径させながら内管を既設水道管内全長に亘って張り付け、前記光ケーブルが該既設水道管と拡径により張り付けられた内管との間に挟まれて保持されることを特徴とする光ケーブルの既設管体内布設方法。
【発明の詳細な説明】
【０００１】
【発明の属する技術分野】
本発明は、光ケーブルを更正される既設管内に挿通保持する方法に関する。
【０００２】
【従来の技術】
近年、光通信システムがマルチメディアの構築により医療、保健、福祉等の公的分野でも地域住民に対するサービスを行う通信網として普及しつつある。
【０００３】
この通信網を設置するに際し、光通信システムに使用される多数の光ファイバーを束にして収納した光ケーブルは、末端である各家庭にまで配線することが要求され、これらの配線は、環境上の観点から地上よりも地下に埋設配線されるようになっている。
【０００４】
そこで、最近では既に埋設されて高い普及率（９５％）を持ち各家庭やオフィスなど隅々まで行き渡っている既設管としての水道管路網を利用する方法が採用されている。
【０００５】
【発明が解決しようとする課題】
このように既設の水道管を利用することにより、光ケーブル埋設のために公道部分での地下掘削作業が不要となり光ケーブル布設作業の能率が向上し掘削工事費用の削減が可能となる。
【０００６】
しかしながら、既設の水道管を利用するには次のような点が問題となる。
【０００７】
すなわち、既設の水道管内に光ケーブルを不断水状態で挿入、取出しするために光ケーブルの出入り口となる地面を掘削し、既設の水道管を穿孔し専用の装置を用いて光ケーブルの挿入・取出し作業を行なう必要がある。
【０００８】
また、既設の水道管内に挿入された光ケーブルは既設の水道管内では支持されずにフリーの状態にあるため水道管内の水流の状態が正逆に変化したり、水圧が変化することにより内部で暴れることになり接触部により損傷される虞がある。
【０００９】
一方、水道管は、長期的に使用されていると腐蝕されるためその部分が定期点検により確認されると、所定区間において更正工事が行なわれる。
【００１０】
この更正工事は、詳細は後述するが腐蝕された既設の水道管内に内管を挿入して進行させつつ膨張させて内壁に張り付けることにより既設管を更正する工事や、内管を挿入し、既設管と内管との間にモルタル等を充填することにより既設管を更正する工事で、この工法には、ホースライニング工法、インシチュフォーム工法、パイプリバース工法およびパイプインパイプ工法等がある。
【００１１】
そこで、発明者は既設管内に挿入される光ケーブルを既設の水道管とその内壁に張り付けられる内管との間に挿入して支持することが上記問題を解決する最良の手段であることを見出した。
【００１２】
本発明は、上記問題点を解決するためになされたもので、所定区間における既設水道管の更正工事を行う際に光ケーブルを水道管の内側に、水流の影響を受けることなく布設する方法を提供することを目的とする。
【００１３】
【課題を解決するための手段】
本発明に係る光ケーブルの既設管体内布設方法は、所定区間で補修される既設水道管に内管を内張りして該既設水道管を更正する工程において、
光ケーブルを一方の作業坑より前記既設水道管内に挿入し、他方の作業坑より外部に取り出した後に、一方の作業坑の既設水道管内の製管機により硬質塩化ビニル製の帯び板を他方の作業坑まで送られ、次に、既設水道管内に挿入された前記帯び板を、他方の作業坑側の先端から一方の作業坑に向けて前記製管機により連続的に巻き付けられてシール部が互いに結合され、シールされつつ拡径させながら内管を既設水道管内全長に亘って張り付け、前記光ケーブルが該既設水道管と拡径により張り付けられた内管との間に挟まれて保持されることを特徴としている。
【００１４】
この特徴により、製管機により既設水道管内に挿入された硬質塩化ビニル製の帯び板を、他方の作業坑側の先端から一方の作業坑に向けて製管機により連続的に巻き付けられてシール部が互いに結合され、シールされつつ拡径させながら内管を既設水道管内全長に亘って張り付けるので、光ケーブルを既設水道管内壁の所望の位置に設置することができると共に、水道管内の水流の状態が正逆に変化したり水圧が変化しても既設水道管内に挿通された光ケーブルが管内で暴れることなく確実に保持され、光ケーブルの寿命が延び半永久的に使用することができる。
【００１５】
【発明の実施の形態】
以下、実施の形態を挙げ図面に基づいて本発明を説明する。本発明の一実施形態につき説明する。
【００１６】
図１は、本発明の一実施形態としての既設水道管の内側に内管を張り付ける方法の説明図であり、図２は既設水道管内に内管を張り付ける更正工程において光ケーブルを既設水道管と内管との間に布設する工程の説明図である。既設水道管１の更正工事は、更正の対象となる既設水道管を含む所定区間の２箇所の作業坑間で行なわれる。
【００１７】
図１および図２に示される既設水道管１の更正工程は、エキスパンダー方式と称する方式により行なわれるものである。図３は既設水道管と内管との間に挟まれた光ケーブルを示す断面図である。
【００１８】
このエキスパンダー方式は、一方の作業坑５の底部に設置された製管機６に硬質塩化ビニル製の帯び板２を地上から送り込み、この製管機６により図１に示すように帯び板２が連続的に巻き付けられてシール部４が互いに係合され、シールされつつ既設水道管１内で内管ＰＡを製管するようにしたものである。
【００１９】
先ず、内管ＰＡが既設水道管１内に挿入される前に作業坑５、７間の既設水道管１内が予め洗浄される。次に、光ケーブル３を一方の作業坑５から挿入させて更正される既設水道管１内を挿通させて他方の作業坑７から地上に取り出す。この状態で一方の作業坑５の既設水道管１内の製管機６により細径に製管された内管Ｐの先端が他方の作業坑７まで送られる。
【００２０】
次に、既設水道管１内に挿入された細径の内管ＰＡは、他方の作業坑７側の先端から一方の作業坑５に向けて図示しない拡径制御システムにより順次径を拡大させて行き、作業坑５、７間の既設水道管１内全長に亘って張り付けられる。そこで既設水道管１内に挿入された光ケーブル３は、該既設水道管１と拡径により張り付けられた内管ＰＡとの間に挟まれて挿通保持される。
【００２１】
このようにして光ケーブル３は、内管ＰＡを既設水道管１内に内張りするに際し、既設水道管１と内管ＰＡとの間に挿入して既設水道管１内に挿通保持されるので、既設水道管１内に挿通された光ケーブル３が該水道管１内の水流が正逆に変化したり、水圧が変化しても管１内で暴れることなく安定させて保持されるため、光ケーブル寿命の延長が可能となる。
【００２８】
【発明の効果】
本発明は次の効果を奏する。
【００２９】
本発明によれば、既設水道管内に挿入された細径の内管を、他方の作業坑側の先端から一方の作業坑に向けて順次径を拡大させて既設水道管内全長に亘って張り付け、前記光ケーブルを該既設水道管と拡径により張り付けられた内管との間に挟まれた状態で保持されるので、光ケーブルを既設水道管内壁の所望の位置に設置することができると共に、水道管内の水流の状態が正逆に変化したり水圧が変化しても既設水道管内に挿通された光ケーブルが管内で暴れることなく確実に保持され、光ケーブルの寿命が延び半永久的に使用することができる。
【００３１】
【図面の簡単な説明】
【図１】  本発明の一実施形態としての既設水道管の内側に内管を張り付ける方法の説明図である。
【図２】  本発明の一実施形態を示し、既設水道管内に内管を張り付ける更正工程において光ケーブルを既設水道管と内管との間に布設する工程を示す説明図ある。
【図３】  既設水道管と内管との間に挟まれた光ケーブルを示す断面図である。
【符号の説明】
１    既設水道管
２    帯び板
３    光ケーブル
４    シール部
５    一方の作業坑
６    製管機
７    他方の作業坑
８    ロボット
９    紫外線ランプ
１０    テレビカメラ
ＰＡ    内管
【図１】
0003795595.tif 000002
【図２】
0003795595.tif 000003
【図３】
0003795595.tif 000004